(57)【特許請求の範囲】
【請求項１】
床スラブと壁立ち上がり部とを有する外部床における仮防水工法であって、
前記床スラブ上に前記壁立ち上がり部に沿って矩形断面で長尺の仮設材を置き、
第一仮防水シートを前記床スラブ面及び前記仮設材の上面にかけて、その端部が前記仮設材の上面に載置されて、前記床スラブ面よりも高い位置で水平となるように敷設し、
第二仮防水シートを、前記壁立ち上がり部の内面に、その下端が前記仮設材を覆うように貼着する、仮防水工法。
【請求項２】
前記仮設材として中空の鋼材を用い、
前記第一仮防水シートの端縁及び前記第二仮防水シートの下端を、前記仮設材に対し磁石を用いて連続的に貼着する、請求項１に記載の仮防水工法。
【請求項３】
前記仮設材として、前記床スラブの四隅に行き渡る鋼材を用いる、請求項２に記載の仮防水工法。
【請求項４】
前記仮設材の少なくとも一部を前記床スラブに固定する、請求項３に記載の仮防水工法。
【請求項５】
床スラブと壁立ち上がり部とを有する外部床における仮防水構造であって、
前記床スラブ上に前記壁立ち上がり部に沿って設置された矩形断面で長尺の仮設材と、
前記床スラブ面及び前記仮設材の上面にかけて、その端部が前記仮設材の上面に載置されて、前記床スラブ面よりも高い位置で水平となるように敷設された第一仮防水シートと、
前記壁立ち上がり部の内面に、その下端が前記仮設材を覆うように貼着された第二仮防水シートと、
を含む、仮防水構造。
【発明の詳細な説明】
【技術分野】
【０００１】
本発明は、仮防水構造および仮防水工法に関する。
【背景技術】
【０００２】
従来、建物の躯体が立ち上がってから屋根やベランダの防水工事が完了するまでの期間において、降雨によって建物内部等が水濡れするのを防止するために、あるいは工期が延長するのを防止するために、種々の対策が講じられている。例えば、大規模な建物においては、足場を利用して建物全体を覆う仮設の屋根を設ける方法が数多く提案されている。また、住宅のような小規模の建物においては、単に屋根面にシートをかけるという方法が提案されている。
【０００３】
このような屋根面にシートをかけるという簡易な方法だと、勾配屋根の場合には雨仕舞い上の問題が少ない。ただし、パラペットを有する陸屋根等の場合には水溜りが形成されてしまい、水の排出方法を別途検討する必要が生じる。このような検討をふまえ、しかも、費用や手間を格段に削減し、尚かつ撤去作業のほぼ全てを省略することができるようにした仮防水技術としては、特許文献１に記載されたもの等がある（特許文献１参照）。
【先行技術文献】
【特許文献】
【０００４】
【特許文献１】特開２０１２−１３６８５９号公報
【発明の概要】
【発明が解決しようとする課題】
【０００５】
しかしながら、従来の仮防水技術には、仮樋の設置に手間やコストがかかる場合があった。また、従来の仮防水技術は、外周部に沿って仮樋を設置する為の凹部が存在することを前提としていることがあり、この場合、凹部が存在しないと対応できない。このため、外壁パネルの補修を要するなど、汎用性が高いとはいえないことがあった。
【０００６】
そこで、本発明は、仮樋の設置が不要で手間やコストが抑制でき、尚かつ、外周部に沿って凹部が形成されていなくても施工することができて汎用性が高い仮防水構造および仮防水工法を提供することを目的とするものである。
【課題を解決するための手段】
【０００７】
上記課題を解決すべく、本発明は、床スラブと壁立ち上がり部とを有する外部床における仮防水工法であって、
前記床スラブ上に前記壁立ち上がり部に沿って長尺の鋼製の仮設材を置き、
第一仮防水シートを前記床スラブ面及び前記仮設材の上面にかけて敷設し、
第二仮防水シートを、前記壁立ち上がり部の内面に、その下端が前記仮設材を覆うように粘着する、というものである。
【０００８】
この仮防水工法によれば、第一仮防水シートおよび第二仮防水シートを用いて外部床の床スラブ面および壁立ち上がり部の内面（の一部）を覆うことができる。しかも、この仮防水工法によれば仮樋の設置が不要であり、当該外部床の外周部に沿って凹部が形成されていなくてもこれら第一仮防水シートおよび第二仮防水シート等を施工することができる。
【０００９】
この仮防水工法においては、前記第一仮防水シートの端縁及び前記第二仮防水シートの下端を、前記仮設材に対し磁石を用いて連続的に貼着することが好ましい。磁石を用いれば、比較的容易に貼着でき、また、取り外しも容易である。
【００１０】
また、この仮防水工法においては、前記仮設材として、断面矩形である中空の鋼材を用いることが好ましい。このような仮設材は、比較的軽量であり、尚かつ磁石を貼着させやすいものでもある。
【００１１】
前記仮設材として、前記床スラブの四隅に行き渡る鋼材を用いることが好ましい。
【００１２】
また、前記仮設材の少なくとも一部を前記床スラブに固定してもよい。
【００１３】
また、本発明は、床スラブと壁立ち上がり部とを有する外部床における仮防水構造であって、
前記床スラブ上に前記壁立ち上がり部に沿って設置された長尺の鋼製の仮設材と、
前記床スラブ面及び前記仮設材の上面にかけて敷設された第一仮防水シートと、
前記壁立ち上がり部の内面に、その下端が前記仮設材を覆うように粘着された第二仮防水シートと、
を含むものである。
【発明の効果】
【００１４】
本発明によれば、仮樋の設置が不要で手間やコストが抑制でき、尚かつ、外周部に沿って凹部が形成されていなくても施工することができて汎用性が高い仮防水工法を提供することができる。
【図面の簡単な説明】
【００１５】
【図１】本発明の実施形態の一例を示すベランダの断面のみを示す図である。
【図２】図１における丸囲み部分の拡大図である。
【図３】ベランダの平面図である。
【図４】仮設材が設置された後のベランダの平面図である。
【図５】仮防水工法が完了したベランダの平面図である。
【発明を実施するための形態】
【００１６】
以下、図面を参照しつつ本発明の実施形態について詳細に説明する（図１〜図５参照）。
【００１７】
本実施形態にて対象となる外部床１００は、例えばベランダのような、建物における外部の床をいう。この外部床１００は、非防水性素材のパネル１２０からなる床スラブ１１０を有している。外部床１００に適した非防水性素材の好適例としてはＡＬＣ（Autoclaved Light weight Concrete、軽量気泡コンクリート）などがある。床スラブ１１０を構成するパネル１２０は、Ｈ形鋼からなる外周梁３００に支持されている（図１参照）。
【００１８】
外部床１００の外周部のうち、建物の外壁４００以外の部分（例えば外壁４００を除く三方）には、ベランダ腰壁１５０が設けられている（図１、図３参照）。ただし、この外部床１００には、仮樋を設置するための凹部は設けられていないか、あるいは設けられていてもそれが四方すべてというわけではない。
【００１９】
パネル１２０には排水用の貫通孔２１０が穿設されていてもよい。例えば本実施形態では、建物の躯体工事の完了後、パネル１２０に貫通孔２１０を穿設する（図３参照）。この貫通孔２１０を利用すれば、仮防水工法の際、あるいはその後、鍔付き管２２０やビニールホース２３０等からなるドレイン２００を設置することができる（図２等参照）。
【００２０】
続いて、このような外部床１００における仮防水工法について説明する（図３〜図５参照）。
【００２１】
まず、床スラブ１１０上に、ベランダ腰壁１５０及び外壁４００に沿って仮設材３を設置する（図４参照）。仮設材３は、磁石が磁着する鋼製の長尺部材である。本実施形態で用いる仮設材３は、断面矩形である中空の鋼材である。このような仮設材３は比較的軽量であり、尚かつベランダ腰壁１５０に沿って床スラブ１１０上に設置しやすい。また、平坦な面を有することから、磁石が貼着しやすくもある。
【００２２】
仮設材３は、床スラブ１１０の四隅にまで行き渡るように設置されることが好ましい。本実施形態では、床スラブ１１の短辺方向長さ（外壁４００とこれに対向するベランダ腰壁１５０との間隔）に合わせた一対の短い仮設材３と、床スラブ１１の長辺方向長さ（対向するベランダ腰壁１５０どうしの間隔）よりも仮設材３の２本分の幅だけ短くされた一対の長い仮設材３とを利用し、床スラブ１１０の四隅まで仮設材３が行き渡るようにしている（図４参照）。
【００２３】
また、床スラブ１１０上に設置された仮設材３は、床スラブ１１０や壁部に対して固定されてもよい。例えば本実施形態では、掃出し窓６００からの作業者等の出入りに伴い移動するおそれのある外壁４００に沿う仮設材３をビス９でパネル１２０に固定している（図４参照）。
【００２４】
仮設材３を設置したら、外部床１００を継ぎ目なく１枚で覆える大きさを有するビニールシートからなる第一仮防水シート２を床スラブ１１０の上面および仮設材３の上面を覆うように敷設する（図２等参照）。このとき、第一仮防水シート２を仮設材３に載せ掛けて敷き込み、当該第一仮防水シート２の側縁が少なくとも仮設材３の上面にあるか、あるいはそれよりも外側に位置するように敷設する。
【００２５】
第一仮防水シート２を敷設したら、比較的幅の狭い長尺のビニールシートからなる第二仮防水シート４をベランダ腰壁１５０の内面に取り付ける。取り付け方は限定されないが、簡便かつ十分な取り付け強度が得られるものが好ましい。本実施形態では、防水テープ８を使って第二仮防水シート４の上端４ａをベランダ腰壁１５０の内面に貼り付けることによって粘着させている（図１、図２参照）。第二仮防水シート４は、下端４ｂを垂らした状態（スカートのような状態）で取り付けられる。
【００２６】
なお、第二仮防水シート４は、その下端４ｂが仮設材３を覆うに足りる十分な長さ（幅）を有するものであり、当該下端４ｂが仮設材３を覆うような高さとなるように上端４ａがベランダ腰壁１５０の内面に取り付けられる（図２参照）。下端４ｂが仮設材３を覆う状態であれば、上述の第一仮防水シート２と第二仮防水シート４とが重なり合い、尚かつ第二仮防水シート４の下端４ｂは、張られた状態の第一仮防水シート２の表面に沿って斜め下を向くか、少なくとも真横を向くから、これら第一仮防水シート２と第二仮防水シート４との間の隙間に浸水が入り込みにくい状態となる（図２等参照）。
【００２７】
なお、第二仮防水シート４は、ベランダ腰壁１５０の内面だけでなく、さらには外壁４００の壁面に取り付けられ得ることはいうまでもない（図１、図２参照）。具体的には、外壁４００であって掃出し窓６００を除く部分にまで第二仮防水シート４を取り付けることができる。
【００２８】
続いて、第一仮防水シート２の端縁および第二仮防水シート４の下端４ｂを仮設材３に載せ掛け、第一仮防水シート２の上に第二仮防水シート４を重ね合わせた状態で、その上からマグネットプレート５を載せ、磁力で仮設材３の上面に吸着させる（図２、図５参照）。マグネットプレート５は、複数の磁石を含む、ある程度の長さを有するものであることが好ましく、これによれば、第一仮防水シート２の端縁および第二仮防水シート４の下端４ｂを、仮設材３に対して連続的に貼着することが行いやすい。また、ある程度の可撓性を備えたマグネットプレート５であれば、仮設材３の上面に対する着脱がより行いやすい。
【００２９】
この後、状況（季節、天候、建物の設置地域、外部床１００の向き、隣接する建物との位置関係、など）に応じて、ドレイン２００を取り付けることもできる。本実施形態では、第一仮防水シート２の貫通孔２１０に対応した位置に孔を開け、ビニールホース２３０が繋げられた鍔付き管２２０を通したうえで、ドレイン２２０の鍔を防水テープで第一仮防水シート２の表面に貼着する。これにより、第一仮防水シート２に溜まった雨水をこのドレイン２００で排水することが可能となる。ビニールホース２３０は、例えば階下の室内を通過して窓から外部に出し、施工現場の足場の外に出して地上に流すといった配置とすることができる。
【００３０】
以上の仮防水工法により、外部床１００に仮防水構造１を敷設することができる。この仮防水構造１では、第一仮防水シート２および第二仮防水シート４を用いて外部床１００の床スラブ１１０の上面およびベランダ腰壁１５０の内面の一部を覆うことができる。また、ここまでの説明から明らかなように、この仮防水工法においては仮樋の設置が不要であり、外部床１００の外周部に沿って凹部が形成されていなくても、これら第一仮防水シート２および第二仮防水シート４を容易に敷設することができる。したがって、この仮防水工法によれば、仮樋の設置が不要で手間やコストが抑制でき、尚かつ、外周部に沿って凹部が形成されていなくても施工することができ、汎用性が高い。
【００３１】
なお、上述の実施形態は本発明の好適な実施の一例ではあるがこれに限定されるものではなく本発明の要旨を逸脱しない範囲において種々変形実施可能である。例えば、上述した実施形態では建物に設けられたベランダに本発明を適用した場合について説明したがこれは一例にすぎず、この他、陸屋根、屋上、外廊下といった、周囲に壁立ち上がり部（パラペット、腰壁手摺等）が形成された外部床１００において、躯体工事完了後であって本防水工事完了前の段階における仮防水施工の際に実施することができる。
【産業上の利用可能性】
【００３２】
本発明は、床スラブ１１０とベランダ腰壁１５０とを有する外部床１００であって、ベランダ腰壁１５０の内側面に鋼製の部材が存在しない外部床１００に適用して好適である。
【符号の説明】
【００３３】
１…仮防水構造
２…第一仮防水シート
３…仮設材
４…第二仮防水シート
４ａ…上端
４ｂ…下端
５…マグネットプレート（磁石）
８…防水テープ（粘着部材）
１００…外部床
１１０…床スラブ
１５０…ベランダ腰壁（壁立ち上がり部）
４００…建物の外壁（壁立ち上がり部）
【図１】
0006497857.tif 000002
【図２】
0006497857.tif 000003
【図３】
0006497857.tif 000004
【図４】
0006497857.tif 000005
【図５】
0006497857.tif 000006